(57)【要約】【課題】心筋血流量の正確な定量をより容易に支援することのできる信号処理プログラム、信号処理方法及び信号処理装置を提供する。【解決手段】左室内腔及び左室心筋を含む関心領域を設定する関心領域設定部１０４と、関心領域から放出される放射線量を計測する計数値取得部１０５と、タイムアクティビティーカーブを取得するカーブ取得部１０６と、平衡状態区間における放射線量に対する近似直線を作成する近似直線作成部１０７と、左室内腔のタイムアクティビティーカーブの増加部分に対する放射線量の離散値を近似曲線とする正規分布曲線を作成する正規分布曲線作成部１０８と、近似直線を外挿させて、最初に得られる正規分布曲線との交点を求める交点算出部１０９と、血流動態を表す理論式で近似して第１曲線を求める曲線算出部１１０と、第１曲線と近似直線とを交点で結んだ第２曲線を作成する曲線作成部１１１とを備える。【選択図】図１
2019207183.tif 000002
【特許請求の範囲】
【請求項１】
コンピュータに、
体内に放射性薬剤を投与して測定された放射線量に基づいて、左室内腔及び左室心筋を含む複数の関心領域を設定する処理と、
各々の前記関心領域から放出される前記放射線量を所定の時間間隔で経時的に計測して得られる計数値を取得する処理と、
各々の前記関心領域に対応する前記計数値の経時的変化を示す複数のタイムアクティビティーカーブを取得する処理と、
前記左室心筋を含む前記関心領域に対応する前記タイムアクティビティーカーブにつき、平衡状態区間における前記放射線量に対する近似直線を作成する処理と、
前記左室内腔を含む前記関心領域に対応する前記タイムアクティビティーカーブの増加部分に対する前記放射線量の離散値を近似曲線とする正規分布曲線を作成する処理と、
前記近似直線を前記平衡状態区間から時刻の早い方に外挿させて、最初に得られる前記正規分布曲線との交点を求める処理と、
前記交点と、前記正規分布曲線の立ち上がり時刻との間を血流動態を表す理論式で近似して、第１曲線を求める処理と、
前記第１曲線と、前記近似直線とを前記交点で結んだ第２曲線を作成し、前記左室心筋の前記タイムアクティビティーカーブとする処理を実行させるための信号処理プログラム。
【請求項２】
体内に放射性薬剤を投与して測定された放射線量に基づいて、左室内腔及び左室心筋を含む複数の関心領域を設定する関心領域設定ステップと、
各々の前記関心領域から放出される前記放射線量を所定の時間間隔で経時的に計測して得られる計数値を取得する計数値取得ステップと、
各々の前記関心領域に対応する前記計数値の経時的変化を示す複数のタイムアクティビティーカーブを取得するカーブ取得ステップと、
前記左室心筋を含む前記関心領域に対応する前記タイムアクティビティーカーブにつき、平衡状態区間における前記放射線量に対する近似直線を作成する近似直線作成ステップと、
前記左室内腔を含む前記関心領域に対応する前記タイムアクティビティーカーブの増加部分に対する前記放射線量の離散値を近似曲線とする正規分布曲線を作成する正規分布曲線作成ステップと、
前記近似直線を前記平衡状態区間から時刻の早い方に外挿させて、最初に得られる前記正規分布曲線との交点を求める交点算出ステップと、
前記交点と、前記正規分布曲線の立ち上がり時刻との間を血流動態を表す理論式で近似して、第１曲線を求める曲線算出ステップと、
前記第１曲線と、前記近似直線とを前記交点で結んだ第２曲線を作成し、前記左室心筋の前記タイムアクティビティーカーブとする曲線作成ステップとを含む信号処理方法。
【請求項３】
体内に放射性薬剤を投与して測定された放射線量に基づいて、左室内腔及び左室心筋を含む複数の関心領域を設定する関心領域設定部と、
各々の前記関心領域から放出される前記放射線量を所定の時間間隔で経時的に計測して得られる計数値を取得する計数値取得部と、
各々の前記関心領域に対応する前記計数値の経時的変化を示す複数のタイムアクティビティーカーブを取得するカーブ取得部と、
前記左室心筋を含む前記関心領域に対応する前記タイムアクティビティーカーブにつき、平衡状態区間における前記放射線量に対する近似直線を作成する近似直線作成部と、
前記左室内腔を含む前記関心領域に対応する前記タイムアクティビティーカーブの増加部分に対する前記放射線量の離散値を近似曲線とする正規分布曲線を作成する正規分布曲線作成部と、
前記近似直線を前記平衡状態区間から時刻の早い方に外挿させて、最初に得られる前記正規分布曲線との交点を求める交点算出部と、
前記交点と、前記正規分布曲線の立ち上がり時刻との間を血流動態を表す理論式で近似して、第１曲線を求める曲線算出部と、
前記第１曲線と、前記近似直線とを前記交点で結んだ第２曲線を作成し、前記左室心筋の前記タイムアクティビティーカーブとする曲線作成部とを備えることを特徴とする信号処理装置。
【発明の詳細な説明】
【技術分野】
【０００１】
本発明は、信号処理プログラム、信号処理方法及び信号処理装置に関する。
【背景技術】
【０００２】
従来、心筋シンチグラフィは、被験者に放射性同位元素で標識された薬剤（放射性薬剤）を注射し、体内より放出される放射線を撮影して、放射線量をコンピュータ処理して画像にし、心筋の血流やエネルギー代謝などをイメージングする検査である。この検査は、侵襲性が低く、適切な放射性薬剤を選択することで心臓に関する様々な生理学的、生化学的情報が得られるといった優れた特徴を有しているため、広く臨床において利用されている。例えば、心臓のダイナミックデータを解析することにより、心筋血流量を定量することが可能であり、心筋血流量の値によって、心筋の状態をより正確に知ることが可能となる。
【先行技術文献】
【特許文献】
【０００３】
【非特許文献１】Masao Miyagawa et al.著、Estimation of myocardial flow reserve utilizing an ultrafast cardiac SPECT: Comparison with coronary angiography, fractional flow reserve, and the SYNTAX score.、International Journal of Cardiology、2017年、第244号、p.347-353
【発明の概要】
【発明が解決しようとする課題】
【０００４】
従来、２コンパートメントモデルを利用して心筋血流量を定量する場合、心筋左室内腔及び左室心筋に設定した関心領域におけるタイムアクティビティーカーブを作成する必要がある（非特許文献１参照）。タイムアクティビティーカーブとは、体内に投与された放射性薬剤から放出される放射線量を所定の時間間隔で経時的に計測して得られる計数値の経時的変化を示すものである。タイムアクティビティーカーブは、本来は不連続である各々の計数値を曲線でつなげることによって連続的に変化しているように解析者に視認させている。
【０００５】
投与された放射性薬剤は、心臓の右室内腔、左室内腔を経て、左室心筋へと移行していく。この時、主に心臓の拍動による影響から左室心筋のタイムアクティビティーカーブは、特に投与早期相において、右左室内腔通過時の放射能カウントにかぶさってしまい、そのカウント値が過大評価される（いわゆるspill over）現象が発生する。例えば、spill overの影響が全くない場合は、図５のようなタイムアクティビティーカーブが描かれるべきところ、実際には左室心筋のアクティビティーと左室内腔のアクティビティーとが相互にspill overの影響を受けた結果、図６のようなタイムアクティビティーカーブとして計測される。タイムアクティビティーカーブの形状およびカーブ下面積は、コンパートメント解析による定量値に、そのまま影響を与える。従って、正確に心筋血流量を定量するためには、このspill over現象による影響を補正する必要がある。
【０００６】
本発明は、上記課題に鑑みてなされたもので、心筋血流量の正確な定量をより容易に支援することのできる信号処理プログラム、信号処理方法及び信号処理装置を提供することを目的とする。
【課題を解決するための手段】
【０００７】
本発明の一側面に係る信号処理プログラムは、コンピュータに、体内に放射性薬剤を投与して測定された放射線量に基づいて、左室内腔及び左室心筋を含む複数の関心領域を設定する処理と、各々の前記関心領域から放出される前記放射線量を所定の時間間隔で経時的に計測して得られる計数値を取得する処理と、各々の前記関心領域に対応する前記計数値の経時的変化を示す複数のタイムアクティビティーカーブを取得する処理と、前記左室心筋を含む前記関心領域に対応する前記タイムアクティビティーカーブにつき、平衡状態区間における前記放射線量に対する近似直線を作成する処理と、前記左室内腔を含む前記関心領域に対応する前記タイムアクティビティーカーブの増加部分に対する前記放射線量の離散値を近似曲線とする正規分布曲線を作成する処理と、前記近似直線を前記平衡状態区間から時刻の早い方に外挿させて、最初に得られる前記正規分布曲線との交点を求める処理と、前記交点と、前記正規分布曲線の立ち上がり時刻との間を血流動態を表す理論式で近似して、第１曲線を求める処理と、前記第１曲線と、前記近似直線とを前記交点で結んだ第２曲線を作成し、前記左室心筋の前記タイムアクティビティーカーブとする処理を実行させる。
【０００８】
本発明のまた別の一側面に係る信号処理方法は、体内に放射性薬剤を投与して測定された放射線量に基づいて、左室内腔及び左室心筋を含む複数の関心領域を設定する関心領域設定ステップと、各々の前記関心領域から放出される前記放射線量を所定の時間間隔で経時的に計測して得られる計数値を取得する計数値取得ステップと、各々の前記関心領域に対応する前記計数値の経時的変化を示す複数のタイムアクティビティーカーブを取得するカーブ取得ステップと、前記左室心筋を含む前記関心領域に対応する前記タイムアクティビティーカーブにつき、平衡状態区間における前記放射線量に対する近似直線を作成する近似直線作成ステップと、前記左室内腔を含む前記関心領域に対応する前記タイムアクティビティーカーブの増加部分に対する前記放射線量の離散値を近似曲線とする正規分布曲線を作成する正規分布曲線作成ステップと、前記近似直線を前記平衡状態区間から時刻の早い方に外挿させて、最初に得られる前記正規分布曲線との交点を求める交点算出ステップと、前記交点と、前記正規分布曲線の立ち上がり時刻との間を血流動態を表す理論式で近似して、第１曲線を求める曲線算出ステップと、前記第１曲線と、前記近似直線とを前記交点で結んだ第２曲線を作成し、前記左室心筋の前記タイムアクティビティーカーブとする曲線作成ステップとを含む。
【０００９】
本発明のまた別の一側面に係る信号処理装置は、体内に放射性薬剤を投与して測定された放射線量に基づいて、左室内腔及び左室心筋を含む複数の関心領域を設定する関心領域設定部と、各々の前記関心領域から放出される前記放射線量を所定の時間間隔で経時的に計測して得られる計数値を取得する計数値取得部と、各々の前記関心領域に対応する前記計数値の経時的変化を示す複数のタイムアクティビティーカーブを取得するカーブ取得部と、前記左室心筋を含む前記関心領域に対応する前記タイムアクティビティーカーブにつき、平衡状態区間における前記放射線量に対する近似直線を作成する近似直線作成部と、前記左室内腔を含む前記関心領域に対応する前記タイムアクティビティーカーブの増加部分に対する前記放射線量の離散値を近似曲線とする正規分布曲線を作成する正規分布曲線作成部と、前記近似直線を前記平衡状態区間から時刻の早い方に外挿させて、最初に得られる前記正規分布曲線との交点を求める交点算出部と、前記交点と、前記正規分布曲線の立ち上がり時刻との間を血流動態を表す理論式で近似して、第１曲線を求める曲線算出部と、前記第１曲線と、前記近似直線とを前記交点で結んだ第２曲線を作成し、前記左室心筋の前記タイムアクティビティーカーブとする曲線作成部とを備える。
【発明の効果】
【００１０】
このように構成された本発明に係る信号処理プログラム、信号処理方法及び信号処理装置によれば、心筋血流量のより正確な定量をより容易に支援し得る。
【図面の簡単な説明】
【００１１】
【図１】本発明の実施例１に係る信号処理装置及びその周辺装置を示す機能構成図である。
【図２】表示装置に表示されるタイムアクティビティーカーブの一例を示す図である。
【図３】表示装置に表示されるタイムアクティビティーカーブの別の一例を示す図である。
【図４】本発明の実施例１に係る信号処理装置及びその周辺装置で行われる全体処理のフローチャートである。
【図５】従来のタイムアクティビティーカーブの一例を示す図である。
【図６】従来のタイムアクティビティーカーブの別の一例を示す図である。
【発明を実施するための形態】
【００１２】
以下、本発明の実施形態について、図面を用いて説明する。なお、すべての図面において、同様の構成要素には同一の符号を付し、適宜に説明を省略する。なお、以下の説明はあくまでも好ましい態様の一例を示したものであり、本発明の範囲を限定する意図ではない。
【実施例１】
【００１３】
図１は本発明の実施例１に係る信号処理装置１００及び周辺装置を示す機能構成図である。ここでは周辺装置として、撮像装置２０、操作受付部４０及び表示装置３０を例示するが、これに限られない。
【００１４】
撮像装置２０は、放射性薬剤から放出される放射線強度を検知し、その検知した放射線強度を所定の時間間隔で複数の画素をデジタル画像化することにより、体内の各領域における放射性薬剤の経時的な分布変化を可視化することができる。
【００１５】
表示装置３０は、例えば、撮像装置２０によって得られる撮像データや、信号処理装置１００によって生成される解析結果等を、使用者又は被験者等が視認可能に表示出力する装置である。
【００１６】
操作受付部４０は、信号処理装置１００の使用者による操作を受け付ける手段であり、具体的には、操作ボタン、キーボード、マウス、タッチパネル等が例示されるが、これらに限定されない。信号処理装置１００は、例えば、操作受付部４０から受け付けた電気信号に応じて各種制御を実行する。
【００１７】
なお、図１においては表示装置３０と操作受付部４０とを別々の構成要素として図示しているが、これは一例である。タッチパネル式の表示デバイスなど表示出力及び操作入力が可能な装置を用いることにより、表示装置３０と操作受付部４０とを一体的に実現することも可能である。
【００１８】
本実施例に用いられる放射性薬剤としては、テトロフォスミンテクネチウム（99mTc）注射液（以下、ＴＦと称す）を好ましく挙げることができる。ＴＦは代表的な蓄積型トレーサの一つであり、高い脂溶性によって初回循環でその大部分が組織に取り込まれる。
【００１９】
好ましい態様において、核医学検査は、本発明に係る血流量の定量に用いるためのデータとして、短い時間間隔で連続的に撮像された複数の画像を収集する。この場合において、撮像装置２０が行う撮像方法をダイナミックスキャンといい、このような撮像方法で得られる一連の撮像データをダイナミック画像という。なお、本実施例における撮像装置２０によって得られる撮像データはダイナミック画像に限らず、スタティックに撮像された撮像データ（スタティック画像）が含まれる。
【００２０】
信号処理装置１００は、いわゆるコンピュータ端末であってＣＰＵとメモリ（メインメモリやキャッシュメモリ等の記憶装置を含むハードウェアの総称）とを有する。信号処理装置１００は、メモリで保持されたデータやプログラムをＣＰＵで実行することにより、種々の機能をソフトウェア処理によって実現することができる。又は、信号処理装置１００は、専用の論理回路を用いたハードウェア処理、及びソフトウェア処理及びハードウェア処理の組み合わせによっても実現可能である。信号処理装置１００に内包される各種機能については、後に詳述する。
【００２１】
なお、本実施例において信号処理装置１００は一つの装置として説明するが、複数の情報端末がネットワークを介して通信可能に接続されているネットワークシステムとしても本発明は実現可能である。ここで、ネットワークとは、インターネットやＬＡＮ（Local Area Network）等の種々のコンピュータネットワーク又はその組合せで構成できる。また、各構成要素とネットワークとの通信接続は、有線通信であってもよいし、無線通信であってもよい。
【００２２】
＜信号処理装置１００に内包される各種機能＞
本実施例における信号処理装置１００は、入力部１０１と、記憶部１０２と、出力部１０３と、ＲＯＩ設定部１０４（関心領域設定部）と、計数値取得部１０５と、カーブ取得部１０６と、近似直線作成部１０７と、正規分布曲線作成部１０８と、交点算出部１０９と、曲線算出部１１０と、曲線作成部１１１とを有している。
【００２３】
入力部１０１は、撮像装置２０からダイナミック画像を含む種々のデータを入力する機能である。入力部１０１は、撮像装置２０からの種々のデータを受動的に受け付ける機能であっても良いし、撮像装置２０に記憶されている種々のデータを能動的に読み取る機能であっても良い。
【００２４】
記憶部１０２は、信号処理装置１００が処理するデータの一部又は全部を記憶する機能である。具体的には、上述したメモリにおける記憶領域の一部又は全部により構成されている。記憶部１０２が記憶するデータは、入力部１０１が撮像装置２０から入力した種々のデータが含まれる。
【００２５】
出力部１０３は、例えば、曲線作成部１１１が作成したタイムアクティビティーカーブを表示装置３０で表示可能に出力する機能である。出力部１０３は、表示装置３０から指令を受け付け、当該指令に応じてタイムアクティビティーカーブを出力する受動的機能であっても良いし、表示装置３０を制御してタイムアクティビティーカーブを表示させる能動的機能であっても良い。
【００２６】
ＲＯＩ設定部１０４は、体内に放射性薬剤を投与して測定された放射線量に基づいて、信号処理装置１００に記憶されているダイナミック画像のいずれかを選択し、当該ダイナミック画像内の一部領域をＲＯＩとして設定する機能である。ここで、ＲＯＩとは、画像を用いた解析手法において、観察又は測定対象となる一部領域のことをいう。なお、ＲＯＩは、Region of Interestの略であり、関心領域又は対象領域等ともいわれる。本実施例におけるＲＯＩ設定部１０４は、少なくとも左室内腔及び左室心筋を含む複数の領域を、それぞれＲＯＩに設定する。
【００２７】
計数値取得部１０５は、各々のＲＯＩから放出される放射線量を所定の時間間隔で経時的に計測して得られる計数値を取得する。ここで、計数値とは、放射線量を示す定量的な数値をいい、具体的には撮像装置２０に内蔵されている検出器（例えばシンチレータ）によって検知された放射線の数である。本実施例の計数値取得部１０５は、撮像装置２０が撮像したダイナミック画像に対して設定されたＲＯＩにおいて検知された放射線のカウント値を読み取ることによって計数値を取得する。この態様は一例であって、計数値を取得する手段としては、例えば、本実施例の撮像装置２０のようにダイナミック画像を撮像できる装置であって自律的に所定の領域について計数値を取得する手段であってもよい。あるいは、ネットワークを介して他装置が取得した計数値を受信することによって計数値を取得する手段であっても良い。
【００２８】
カーブ取得部１０６は、各々のＲＯＩに対応するタイムアクティビティーカーブを取得する。ここで、タイムアクティビティーカーブとは、計数値取得部１０５によって取得された計数値の経時的変化を示すものであり、本来は不連続である各々の計数値を曲線でつなげることによって連続的に変化しているように解析者に視認させている。図２は、表示装置３０に表示されるタイムアクティビティーカーブの一例を示す図である。図２に示すグラフは、縦軸に放射線量の計数値（カウント値）をとり、横軸に撮像開始時を起点とする経過時間をとる。図２において、破線で示すグラフは左室内腔のタイムアクティビティーカーブＣ１であり、実線で示すグラフは左室心筋のタイムアクティビティーカーブＣ２である。
【００２９】
近似直線作成部１０７は、左室心筋を含むＲＯＩに対応するタイムアクティビティーカーブＣ２（図２）につき、平衡状態区間（図２）における放射線量に対する近似直線を作成する。ここで、近似直線とは、測定により得られた複数の数値の組に対し、最小二乗法などを適用することにより算出される一次関数により表される直線のことである。場合によっては、単純平均、移動平均、加重平均等の処理も適用することができる。なお、この処理において近似直線の作成に用いられる平衡状態区間は、タイムアクティビティーカーブにおけるカウント値の経時的変化がみられなくなった区間を、任意に選択して用いることができる。この区間の選択は、操作者が画面上でマウスポインタやスタイラスペン等を用いて行う事ができるが、カウント値の平均変化率や近似直線の相関係数を利用して、自動で行っても良い。例えば、カウント値の変化率が連続して一定の値以下となる範囲を選択したり、近似直線の相関係数が一定の値以上となる範囲を選択したりするといった条件を与え、自動で設定することができる。
【００３０】
正規分布曲線作成部１０８は、左室内腔を含むＲＯＩに対応するタイムアクティビティーカーブの増加部分に対する放射線量の離散値を近似曲線とする正規分布曲線Ｃ３（図３）を作成する。増加部分とは、放射線量の計数値（カウント値）が最大値に向けて増加する傾向にある部分のことをいう。図３は、表示装置３０に表示されるタイムアクティビティーカーブの別の一例を示す図である。図３において、曲線Ｃ１は左室内腔のタイムアクティビティーカーブであり、曲線Ｃ２は左室心筋のタイムアクティビティーカーブである。本実施例における正規分布曲線作成部１０８は、タイムアクティビティーカーブＣ１の増加部分に正規分布曲線Ｃ３（図３）を近似させる。
【００３１】
交点算出部１０９は、近似直線作成部１０７によって作成された近似直線Ｌ１（図３）を平衡状態区間から時刻の早い方に外挿させて、最初に得られる正規分布曲線Ｃ３（図３）との交点Ｐ１（図３）を求める。ここで、外挿とは、ある既知の数値データを基にして、そのデータの範囲の外側で予想される数値を求めることをいう。本実施例における交点算出部１０９は、一次関数による線形外挿を行って、近似直線Ｌ１と正規分布曲線Ｃ３との交点Ｐ１を求める。
【００３２】
曲線算出部１１０は、交点算出部１０９が算出した交点Ｐ１と、正規分布曲線作成部１０８が作成した正規分布曲線Ｃ３の立ち上がり時刻ｔ１（図３）との間を血流動態を表す理論式で近似するフィッティングによって、第１曲線Ｃ４（図３）を求める。ここで、立ち上がり時刻とは、放射性薬剤の投与後に左室心筋から検知される放射線量が最初に急増し始める時刻のことをいう。フィッティングに用いる理論式は、２コンパートメントモデルに基づいて得られた近似式を、好ましく用いることができる。近似式としては、例えば文献（大西良浩著、「表計算ソフトによるコンパートメントモデル解析の計算」、日本放射線技術学会、平成10年11月、第54巻、第11号、p.1336-1341）記載の式を用いることができる。
【００３３】
曲線作成部１１１は、曲線算出部１１０が算出した第１曲線Ｃ４（図３）と、近似直線作成部１０７が作成した近似直線Ｌ１（図３）とを、交点算出部１０９が算出した交点Ｐ１（図３）で結んだ第２曲線Ｃ５（図３）を作成し、左室心筋のタイムアクティビティーカーブＣ５とする。
【００３４】
＜信号処理装置１００によって行われる全体処理のフロー＞
図４は、本発明の実施例１に係る信号処理装置及びその周辺装置で行われる全体処理のフローチャートである。以下、図４を用いて、信号処理装置１００によって行われる全体処理のフローについて説明する。
【００３５】
ＲＯＩ設定部１０４は、左室内腔及び左室心筋を含む領域にＲＯＩを設定する（ステップＳ１０１）。計数値取得部１０５は、左室内腔及び左室心筋から放出される放射線量を計測して得られる計数値を取得する（ステップＳ１０２）。
【００３６】
カーブ取得部１０６は、左室内腔のタイムアクティビティーカーブＣ１（図２）と、左室心筋のタイムアクティビティーカーブＣ２（図２）とを取得する（ステップＳ１０３）。近似直線作成部１０７は、左室心筋のタイムアクティビティーカーブＣ２につき、平衡状態区間における放射線量に対する近似直線Ｌ１を作成する（ステップＳ１０４）。
【００３７】
正規分布曲線作成部１０８は、左室内腔のタイムアクティビティーカーブＣ１の増加部分に対する放射線量の離散値を近似曲線とする正規分布曲線Ｃ３を作成する（ステップＳ１０５）。交点算出部１０９は、近似直線Ｌ１と正規分布曲線Ｃ３との交点Ｐ１を求める（ステップＳ１０６）。
【００３８】
曲線算出部１１０は、血流動態を表す理論式に基づいて得られた近似式を用いたフィッティングによって、第１曲線Ｃ４を求める（ステップＳ１０７）。曲線作成部１１１は、曲線Ｃ４と近似直線Ｌ１とを交点Ｐ１で結び、第２曲線Ｃ５を作成する（ステップＳ１０８）。出力部１０３は、曲線作成部１１１が作成したタイムアクティビティーカーブを表示装置３０で表示可能に出力する（ステップＳ１０９）。
【００３９】
図３の斜線でハッチングした部分は、左室心筋の放射線量の計数値（カウント値）が増加した部分を示している。計数値の増加は、spill over現象により引き起こされると考える。すなわち、隣り合う左室心筋と左室内腔との間で放射能が画像上で漏れ出たり、画像上において左室内腔から漏れ出た放射能を左室心筋が浴びせられたりすることで引き起こされると考える。このような状況下では、左室心筋に基づく放射能カウントに、左室内腔に基づく放射能カウントがかぶさってしまい、左室心筋のカウント値が過大評価される。すなわち、左室心筋のカウント値が誤って計側される。
【００４０】
実施例１における信号処理装置１００では、曲線作成部１１１が、第１曲線Ｃ４と近似直線Ｌ１とを交点Ｐ１で結び、第２曲線Ｃ５としているので、左室心筋に基づく放射能カウントに、左室内腔に基づく放射能カウントがかぶさらない。これにより、左室内腔に基づく放射能カウントの影響を補正することができる。
【００４１】
実施例１における信号処理装置１００によれば、心筋血流量の正確な定量をより容易に支援し得る。
【００４２】
本実施例は以下の技術思想を包含する。
（１）コンピュータに、体内に放射性薬剤を投与して測定された放射線量に基づいて、左室内腔及び左室心筋を含む複数の関心領域を設定する処理と、各々の前記関心領域から放出される前記放射線量を所定の時間間隔で経時的に計測して得られる計数値を取得する処理と、各々の前記関心領域に対応する前記計数値の経時的変化を示す複数のタイムアクティビティーカーブを取得する処理と、前記左室心筋を含む前記関心領域に対応する前記タイムアクティビティーカーブにつき、平衡状態区間における前記放射線量に対する近似直線を作成する処理と、前記左室内腔を含む前記関心領域に対応する前記タイムアクティビティーカーブの増加部分に対する前記放射線量の離散値を近似曲線とする正規分布曲線を作成する処理と、前記近似直線を前記平衡状態区間から時刻の早い方に外挿させて、最初に得られる前記正規分布曲線との交点を求める処理と、前記交点と、前記正規分布曲線の立ち上がり時刻との間を血流動態を表す理論式で近似して、第１曲線を求める処理と、前記第１曲線と、前記近似直線とを前記交点で結んだ第２曲線を作成し、前記左室心筋の前記タイムアクティビティーカーブとする処理を実行させるための信号処理プログラム。
（２）体内に放射性薬剤を投与して測定された放射線量に基づいて、左室内腔及び左室心筋を含む複数の関心領域を設定する関心領域設定ステップと、各々の前記関心領域から放出される前記放射線量を所定の時間間隔で経時的に計測して得られる計数値を取得する計数値取得ステップと、各々の前記関心領域に対応する前記計数値の経時的変化を示す複数のタイムアクティビティーカーブを取得するカーブ取得ステップと、前記左室心筋を含む前記関心領域に対応する前記タイムアクティビティーカーブにつき、平衡状態区間における前記放射線量に対する近似直線を作成する近似直線作成ステップと、前記左室内腔を含む前記関心領域に対応する前記タイムアクティビティーカーブの増加部分に対する前記放射線量の離散値を近似曲線とする正規分布曲線を作成する正規分布曲線作成ステップと、前記近似直線を前記平衡状態区間から時刻の早い方に外挿させて、最初に得られる前記正規分布曲線との交点を求める交点算出ステップと、前記交点と、前記正規分布曲線の立ち上がり時刻との間を血流動態を表す理論式で近似して、第１曲線を求める曲線算出ステップと、前記第１曲線と、前記近似直線とを前記交点で結んだ第２曲線を作成し、前記左室心筋の前記タイムアクティビティーカーブとする曲線作成ステップとを含む信号処理方法。
（３）体内に放射性薬剤を投与して測定された放射線量に基づいて、左室内腔及び左室心筋を含む複数の関心領域を設定する関心領域設定部と、各々の前記関心領域から放出される前記放射線量を所定の時間間隔で経時的に計測して得られる計数値を取得する計数値取得部と、各々の前記関心領域に対応する前記計数値の経時的変化を示す複数のタイムアクティビティーカーブを取得するカーブ取得部と、前記左室心筋を含む前記関心領域に対応する前記タイムアクティビティーカーブにつき、平衡状態区間における前記放射線量に対する近似直線を作成する近似直線作成部と、前記左室内腔を含む前記関心領域に対応する前記タイムアクティビティーカーブの増加部分に対する前記放射線量の離散値を近似曲線とする正規分布曲線を作成する正規分布曲線作成部と、前記近似直線を前記平衡状態区間から時刻の早い方に外挿させて、最初に得られる前記正規分布曲線との交点を求める交点算出部と、前記交点と、前記正規分布曲線の立ち上がり時刻との間を血流動態を表す理論式で近似して、第１曲線を求める曲線算出部と、前記第１曲線と、前記近似直線とを前記交点で結んだ第２曲線を作成し、前記左室心筋の前記タイムアクティビティーカーブとする曲線作成部とを備えることを特徴とする信号処理装置。
【符号の説明】
【００４３】
１００、２００  信号処理装置
１０４  ＲＯＩ設定部（関心領域設定部）
１０５  計数値取得部
１０６  カーブ取得部
１０７  近似直線作成部
１０８  正規分布曲線作成部
１０９  交点算出部
１１０  曲線算出部
１１１  曲線作成部
１１２  カーブ補正部
Ｃ１、Ｃ２  タイムアクティビティーカーブ
Ｃ３  正規分布曲線
Ｃ４  第１曲線
Ｃ５  第２曲線
Ｌ１  近似直線
ｔ１  立ち上がり時刻
【図１】
2019207183.tif 000003
【図２】
2019207183.tif 000004
【図３】
2019207183.tif 000005
【図４】
2019207183.tif 000006
【図５】
2019207183.tif 000007
【図６】
2019207183.tif 000008